(57)【要約】      （修正有） 【課題】過充電などの不正使用等が発生した状態で電池が火事や爆発を起こさない安全なパワーバッテリーのトップカバーを提供する。【解決手段】パワーバッテリートップカバーは、上部カバーピース１と、プルーフバルブ２と、第１極柱３と、第２極柱４と、導電性シート５と引張りスプリングリーフ６とを有する。プルーフバルブ２と第１極柱３と前記第２極柱４が、上部カバーピース１に設けられる。第２極柱４と上部カバーピース１とは、電気的に接続される。第１極柱３と上部カバーピース１とは、絶縁状態で組立てられる。第１極柱３と導電性シート５とは、電気的に接続される。不正使用等が発生した場合、電解液の分解反応による電芯内のガス圧力が上昇する。その場合には引張りスプリングリーフが長く伸び導電性シートと導通する。電池では正負の電極の間に回路開放電流が形成される。パワーバッテリーでは内部の発熱と圧力が上昇した場合には遮断される。【選択図】図１
0003189288.tif 000002
【実用新案登録請求の範囲】
【請求項１】
上部カバーピース（1）と、プルーフバルブ（2）と、第1極柱（3）と、第2極柱（4）と、導電性シート（5）と引張りスプリングリーフ（6）とを有し、
前記プルーフバルブ（2）と前記第1極柱（3）と前記第2極柱（4）が、前記上部カバーピース（1）に設けられ、
前記第2極柱（4）と前記上部カバーピース（1）とは、電気的に接続され、
前記第1極柱（3）と前記上部カバーピース（1）とは、絶縁状態で組立てられ、
前記第1極柱（3）と前記導電性シート（5）とは、電気的に接続され、
前記引張りスプリングリーフ（６）と前記上部カバーピース（1）とが、連結され、
前記引張りスプリングリーフ（6）が、前記導電性シート（5）の下に配置される
ことを特徴とするパワーバッテリートップカバー。
【請求項２】
前記引張りスプリングリーフ（6）が、引張り頂部（7）と引張り側部（8）とを含み、
前記引張り側部（8）の一端と引張り頂部（7）の一端とが、互いに接続される
ことを特徴とする請求項１に記載のパワーバッテリートップカバー。
【請求項３】
前記引張り頂部（7）と前記引張り側部（8）から形成される断面が、「几」字形状であり、
前記引張り側部（8）の他端に第1延伸部（12）が設けられ、
前記第1延伸部（12）と前記引張り頂部（7）とが、平行である
ことを特徴とする請求項2に記載のパワーバッテリートップカバー。
【請求項４】
前記引張り側部（8）が、第1円弧部（9）と第2延伸部（10）とを含み、
前記第1円弧部（9）が、前記引張り頂部（7）の下に入り込む半円形の構造であり、
前記第2延伸部（10）の一端と前記第1円弧部（9）の一端とは、互いに接続され、
前記第2延伸部（10）と前記引張り頂部（7）とは、平行である
ことを特徴とする請求項2に記載のパワーバッテリートップカバー。
【請求項５】
前記引張り側部（8）が、第2円弧部（19）と第1「L」字 型ブロック（11）を含み、
前記第2円弧部（19）が前記引張り頂部（7）の下に入り込む半円形の構造であり、
前記第1「L」 型ブロック（11）の一端と前記第2円弧部（19）の一端とは、互いに接続される
ことを特徴とする請求項2に記載のパワーバッテリートップカバー。
【請求項６】
前記引張り側部（8）が、下方へ窪んだ凹部（14）と上方へ突出する凸部（15）と第2「L」字 型ブロック（13）とを含み、
前記凹部（14）の一端と前記凸部（15）の一端とが、互いに接続され、
前記凸部（15）の他端と前記第2「L」 型ブロック（13）の一端とが、互いに接続される
ことを特徴とする請求項2に記載のパワーバッテリートップカバー。
【請求項７】
前記引張り頂部（7）の形状が、方形、円形、楕円のいずれかである
ことを特徴とする請求項３−６のいずれかに記載のパワーバッテリートップカバー。
【考案の詳細な説明】
【技術分野】
【０００１】
本考案は、パワーバッテリーに関し、特にパワーバッテリーのトップカバーの構造に関する。
【背景技術】
【０００２】
現代社会の発展と環境保全意識の向上を図るとともにより多くの設備の選択において、充電式二次電池を電源として例えば携帯電話、ノートパソコン、電動工具や電気自動車のなど、充電式二次電池の応用と発展のためにより広いスペースを提供することが望ましい。
電気自動車とエネルギー貯蔵発電所のなどが、電源として大容量であるパワーバッテリーを使用する必要がある。このパワーバッテリーは、高容量を有することに加えて、安全性と長寿命などの使用標準に達して初めて、人々のニーズを満たすことができる。
【０００３】
電池が過充電の場合には、電解液の分解によるパワーバッテリーの内部からの発熱または内部圧力が過剰となった時に、電池が火事や爆発を起こすことがある。パワーバッテリーは、角型電池と円筒形電池を比べて、内部の発熱と圧力上昇の場合には、電流を遮断またはトリップしくい構造である。
【考案の概要】
【考案が解決しようとする課題】
【０００４】
本考案の目的は、従来技術の欠点を解決したパワーバッテリートップカバーの構造を提供するである。本考案の目的は、パワーバッテリーの内部で発熱や圧力上昇が発生した場合には、電流を遮断またはトリップする。本考案の目的は、パワーバッテリーが過充電などの不正使用等が発生した状態で安全を解決しようとする構造を提供することである。その結果、電池は火事や爆発を起こさない。
【課題を解決するための手段】
【０００５】
前記課題を解決する為に、本考案のパワーバッテリートップカバーは、上部カバーピース（1）と、プルーフバルブ（2）と、第1極柱（3）と、第2極柱（4）と、導電性シート（5）と引張りスプリングリーフ（6）とを有する。
前記プルーフバルブ（2）と前記第1極柱（3）と前記第2極柱（4）が、前記上部カバーピース（1）に設けられる。
前記第2極柱（4）と前記上部カバーピース（1）とは、電気的に接続される。
前記第1極柱（3）と前記上部カバーピース（1）とは、絶縁状態で組立てられる。
前記第1極柱（3）と前記導電性シート（5）とは、電気的に接続される。
前記引張りスプリングリーフ（６）と前記上部カバーピース（1）とが、連結される。
前記引張りスプリングリーフ（6）が、前記導電性シート（5）の下に配置される。
本考案の一実施例によれば、前記引張りスプリングリーフ（6）が、引張り頂部（7）と引張り側部（8）とを含み、前記引張り側部（8）の一端と引張り頂部（7）の一端とが、互いに接続される。
本考案の一実施例によれば、前記引張り頂部（7）と前記引張り側部（8）から形成される断面が、「几」字形状であり、前記引張り側部（8）の他端に第1延伸部（12）が設けられ、
前記第1延伸部（12）と前記引張り頂部（7）とが、平行である。
本考案の一実施例によれば、前記引張り側部（8）が、第1円弧部（9）と第2延伸部（10）とを含み、前記第1円弧部（9）が、前記引張り頂部（7）の下に入り込む半円形の構造であり、前記第2延伸部（10）の一端と前記第1円弧部（9）の一端とは、互いに接続され、
前記第2延伸部（10）と前記引張り頂部（7）とは、平行である。
本考案の一実施例によれば、前記引張り側部（8）が、第2円弧部（19）と第1「L」字 型ブロック（11）を含み、前記第2円弧部（19）が前記引張り頂部（7）の下に入り込む半円形の構造であり、前記第1「L」 型ブロック（11）の一端と前記第2円弧部（19）の一端とは、互いに接続される。
本考案の一実施例によれば、前記引張り側部（8）が、下方へ窪んだ凹部（14）と上方へ突出する凸部（15）と第2「L」字 型ブロック（13）とを含み、前記凹部（14）の一端と前記凸部（15）の一端とが、互いに接続され、前記凸部（15）の他端と前記第2「L」 型ブロック（13）の一端とが、互いに接続される。
本考案の一実施例によれば、前記引張り頂部（7）の形状が、方形、円形、楕円のいずれかである。
本考案のパワーバッテリートップカバーによれば、電池が不正使用等が発生した場合、電解液の分解反応による電芯内のガス圧力が上昇する。その場合には引張りスプリングリーフが長く伸びるとともに導電性シートとを導通する。電池では正負の電極の間に回路開放電流が形成される。パワーバッテリーでは内部の発熱と圧力が上昇した場合には、遮断されることを確保される、パワーバッテリーが過充電などの不正使用等が発生した状態でも火事や爆発を起こさない。
【図面の簡単な説明】
【０００６】
【図１】本考案の構造模式図である。
【図２】図1に示すA部の拡大図であり実施例1の構造模式図である。
【図３】本考案の実施例2の構造模式図である。
【図４】本考案の実施例3の構造模式図である。
【図５】本考案の実施例4の構造模式図である。
【考案を実施するための形態】
【０００７】
以下は図面と考案を実施するための最良の形態によって本考案および考案の効果について詳細な説明を行う。
【０００８】
実施例1
図1、2に示すように、本考案のパワーバッテリートップカバーは、上部カバーピース1と、プルーフバルブ2と、第1極柱3と、第2極柱4と導電性シート5と引張りスプリングリーフ6とを含む。プルーフバルブ2と第1極柱3と第2極柱4のいずれもが、上部カバーピース1に設けられる、第2極柱4と上部カバーピース1とを電気的に接続する。第1極柱3と上部カバーピース1とを絶縁状態で組立る。第1極柱3と導電性シートと5とを電気的に接続する。引張りスプリングリーフと上部カバーピース1とを溶接（連結）する。引張りスプリングリーフ6が導電性シート5の下に設けられる。引張りスプリングリーフ6を導電性シート5に近づけて配置する。
好ましく、引張りスプリングリーフ6が引張り頂部7と引張り側部8を含む、引張り側部8と引張り頂部7とを接続する。
より好ましく、引張り頂部7と引張り側部8から形成される断面が「几」形字となり、前記引張り側部8の自由端に第1延伸部12が設けられる、前記第1延伸部12と前記引張り頂部7と平行である、引張り頂部7ができるだけ厚く加工し、引張り側部8をできるだけ薄く加工する。その結果、所定の気圧下で長く伸び、過電流の能力を強める、導電と接触した後での大電流による過熱して溶断が防止される。
引張りスプリングリーフ6の材料は、アルミまたはニッケルであり、導電性シート5の材料は、銅、アルミまたはニッケルである。導電性シート5の表面にもニッケルメッキまたはスズめっきによる引張りスプリングリーフ6との間の接触抵抗を減少する。
好ましく、引張り頂部7の形状が方形、円形または楕円である。
【０００９】
実施例2
図3に示すように、実施例1と異なる点は以下のとうりである。
本実施例の引張り側部8が第1円弧部9と第2延伸部10を含む、第1円弧部9が内側に曲げる半円形の構造に設けられる、第2延伸部10と第1円弧部9とを接続される、かつ前記第2延伸部10と前記引張り頂部7と平行である。他の構成は、実施例1と同様である。
【００１０】
実施例3
図４に示すように、実施例２と異なる点は以下のとうりである。
本実施例の引張り側部8が第2円弧部149と第1「L」 型ブロック11とを含む、第2円弧部19が内側に曲げる半円形の構造に設けられる、第1「L」 型ブロック11と第2円弧部19とを接続される。他の構成は、実施例２と同様である。
【００１１】
?施例4
図５に示すように、実施例３と異なる点は以下のとうりである。
本実施例の引張り側部8が下方へ窪んだ凹部14、上へ突出する凸部15と第2「L」 型ブロック13とを含む、凹部14と前記凸部15とをスムーズに接続される、凸部15と前記第2「L」 型ブロック13とを接続される。他の構成は、実施例３と同様である。
【００１２】
以上の説明は、本考案の一実施例に関するもので、この技術分野の当業者であれば、本考案の種々の変形例を考え得るが、それらはいずれも本考案の技術的範囲に包含される。実用新案登録請求の範囲の構成要素の後に記載した括弧内の番号は、図面の部品番号に対応し、考案の容易なる理解の為に付したものであり、考案を限定的に解釈するために用いてはならない。また、同一番号でも明細書と実用新案登録請求の範囲の部品名は必ずしも同一ではない。これは上記した理由による。明細書中のの用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【図１】
0003189288.tif 000003
【図２】
0003189288.tif 000004
【図３】
0003189288.tif 000005
【図４】
0003189288.tif 000006
【図５】
0003189288.tif 000007